(57)【要約】【課題】  大量の原稿をスキャン設定を切り替えながらスキャンしたい場合に、異なった継続スキャンの設定内容に簡単に切り替えながら、スキャンを継続するための技術を提供すること。【解決手段】  原稿読取装置から原稿の読取継続通知を受けるたびに、読取設定の変更を受け付け、該受け付けた読取設定に従った原稿の継続読取を原稿読取装置に行わせる。【選択図】  図１
2016111525.tif 000002
【特許請求の範囲】
【請求項１】
原稿読取装置から原稿の読取継続通知を受けるたびに、読取設定の変更を受け付ける受け付け手段と、
前記受け付け手段で受け付けた読取設定に従った原稿の継続読取を前記原稿読取装置に行わせる制御手段と
を備えることを特徴とする情報処理装置。
【請求項２】
前記受け付け手段は、複数の読取設定のうち１つの選択操作によって前記読取設定の変更を受け付けることを特徴とする請求項１に記載の情報処理装置。
【請求項３】
前記原稿読取装置は、該原稿読取装置にセットされた全ての原稿を読み取ったことを検知すると、完了通知を前記情報処理装置に対して送信することを特徴とする請求項１または２に記載の情報処理装置。
【請求項４】
更に、
新たな読み取り設定を登録する手段を備えることを特徴とする請求項１乃至３のいずれか１項に記載の情報処理装置。
【請求項５】
原稿の画像を読み取る画像読取装置と、前記画像読取装置で読み取った画像を前記画像読取装置から受け取るコンピュータと、を備えた画像読取システムであって、
前記画像読取装置から原稿の読取継続通知を受けるたびに、読取設定の変更を受け付ける受け付け手段と、
前記受け付け手段で受け付けた読取設定に従った原稿の継続読取を前記画像読取装置に行わせる制御手段と、
を備えることを特徴とする画像読取システム。
【請求項６】
情報処理装置が行う情報処理方法であって、
前記情報処理装置の受け付け手段が、原稿読取装置から原稿の読取継続通知を受けるたびに、読取設定の変更を受け付ける受け付け工程と、
前記情報処理装置の制御手段が、前記受け付け工程で受け付けた読取設定に従った原稿の継続読取を前記原稿読取装置に行わせる制御工程と
を備えることを特徴とする情報処理方法。
【請求項７】
コンピュータを請求項１乃至４の何れか１項に記載の情報処理装置の各手段として機能させるためのコンピュータプログラム。
【発明の詳細な説明】
【技術分野】
【０００１】
本発明は、原稿読み取り装置に原稿読み取りを行わせるための技術に関するものである。
【背景技術】
【０００２】
従来から、大量の原稿をスキャンする画像読取装置として使用されるシートフィードスキャナがある。その画像読取装置における原稿載置能力は通常、その大きさに比例していることが多い。しかし近年、省スペース化もあり、スキャナが小型化して、原稿載置能力も少なくなってきている。このため、原稿の一束を一度に載置できず、何度かに分けてスキャンしなければならないことが多くなった。
【０００３】
たとえば、１つのファイルに複数の画像を含んだマルチページファイルを作成するような場合、継続ダイアログを出して継続読み取りをするのが一般的である。これまで継続読み取りは、１束目がすべて読み取られた際に、続けて読み取る２束目も、１束目のスキャン設定と同じ設定でスキャンをしていた。しかし、たとえば上記１束目のスキャン設定と２束目のスキャン設定とを変えてスキャンしたいときに、設定された読取条件の設定内容を変更することができないという問題があった。
【０００４】
上記の問題に対して、特許文献１のような発明が提案されている。以下に、特許文献１の説明をする。なお、特許文献１に記載されているＪｏｂとは、読取条件を設定し、1つにまとめて登録する機能である。ここで、読取条件とは、用紙サイズなど画像読取装置の設定などである。特許文献１では、複数の原稿画像を複数の束に分けて継続読み取りを行う場合に、各束ごとにJobにおける読取条件の設定内容を上書きして別の読取条件に変更することができるように対応している。
【先行技術文献】
【特許文献】
【０００５】
【特許文献１】特開２００１−２８１９３８号公報
【発明の概要】
【発明が解決しようとする課題】
【０００６】
しかしながら、上記の特許文献１に記載の発明には次のような問題がある。例えば、１束目のＡ４原稿を、「白黒モード、Ａ４サイズ」というスキャン設定でスキャンしたいとする。このとき、２束目のカラーで用紙サイズがバラバラで文字向きも異なる原稿を、「カラーモード、自動サイズ検知、文字向き検知モード」というスキャン設定でスキャンしたい場合には、多くの設定を変更する必要があり、読取設定の変更に手間がかかる。
【０００７】
本発明はこのような問題に鑑みてなされたものであり、大量の原稿をスキャン設定を切り替えながらスキャンしたい場合に、異なった継続スキャンの設定内容に簡単に切り替えながら、スキャンを継続するための技術を提供する。
【課題を解決するための手段】
【０００８】
本発明の一様態は、原稿読取装置から原稿の読取継続通知を受けるたびに、読取設定の変更を受け付ける受け付け手段と、前記受け付け手段で受け付けた読取設定に従った原稿の継続読取を前記原稿読取装置に行わせる制御手段とを備えることを特徴とする。
【発明の効果】
【０００９】
本発明の構成によれば、スキャン設定を適宜切り替えながら大量の原稿をスキャンすることができ、また、異なった継続スキャンの設定内容に簡単に切り替えながら、スキャンを継続することができる。
【図面の簡単な説明】
【００１０】
【図１】原稿読み取り装置１０１の断面図。
【図２】ＰＣ２０１及び原稿読み取り装置１０１の構成例を示すブロック図。
【図３】ＧＵＩの表示例を示す図。
【図４】ＧＵＩの表示例を示す図。
【図５】ＧＵＩの表示例を示す図。
【図６】登録されたジョブ群の一例を示す図。
【図７】ＧＵＩの表示例を示す図。
【図８】ＰＣ２０１及び原稿読み取り装置１０１のそれぞれが行う処理のフローチャート。
【発明を実施するための形態】
【００１１】
以下、添付図面を参照し、本発明の好適な実施形態について説明する。なお、以下説明する実施形態は、本発明を具体的に実施した場合の一例を示すもので、特許請求の範囲に記載の構成の具体的な実施例の１つである。
【００１２】
［第１の実施形態］
本実施形態では、原稿を１束ずつ原稿読み取り装置にセットしてスキャンを行わせることで、結果として大量の原稿のスキャン結果を得ることを前提とし、このような前提の元、各束に対するスキャンの設定を簡便に行うことで、全束の原稿に対するスキャンをより円滑に行うための技術について説明する。
【００１３】
先ず、本実施形態で用いる原稿読み取り装置１０１における原稿読み取り機構について、該原稿読み取り装置１０１の断面図を示す図１を用いて説明する。なお、本実施形態に適用可能な原稿読み取り機構は、図１に示した機構に限るものではなく、様々な機構が適用可能である。
【００１４】
原稿検知センサ９は、原稿読み取り装置１０１に原稿Ｄがセットされているか否かを検知するためのセンサである。
【００１５】
原稿読み取り装置１０１に原稿Ｄ（束）がセットされている場合には、該原稿Ｄはピックアップローラ２及び給送ローラ３によって原稿読み取り装置１０１内に搬送され、分離ローラ４は、該搬送された原稿Ｄの束を１枚ずつの原稿に分離する。１枚ずつの原稿は、第１ローラ対８ａによって副走査方向（原稿搬送方向）に搬送され、ラインイメージセンサ５は、第１ローラ対８ａによって搬送された原稿の上面に記されている画像や文字などの情報を主走査方向（原稿搬送方向と直交する方向）に沿って読み取り、この読み取られた原稿は、第２ローラ対８ｂによって原稿読み取り装置１０１の外部に排出される。
【００１６】
次に、原稿読み取り装置１０１に原稿読み取りを行わせる情報処理装置としてのＰＣ（パーソナルコンピュータ）２０１、該原稿読み取り装置１０１、のそれぞれの構成例について、図２のブロックを用いて説明する。なお、原稿読み取り装置１０１と、この原稿読み取り装置１０１に接続されるＰＣ２０１とで、原稿の画像を読み取るための画像読取システムが構築される。
【００１７】
先ず、ＰＣ２０１の構成例について説明する。
【００１８】
ＣＰＵ２１４は、ＲＡＭ２１５やＲＯＭ２１６に格納されているコンピュータプログラムやデータを用いてＰＣ２０１全体の動作制御を行うと共に、ＰＣ２０１が行うものとして後述する各処理を実行する。
【００１９】
ＲＡＭ２１５は、ＣＰＵ２１４が各種の処理を実行する際に用いるワークエリアや、ＨＤＤ（ハードディスクドライブ）２２０からロードされたコンピュータプログラムやデータを格納するためのエリアを有する。また、ＲＡＭ２１５は、ユーザが入力部２１１を操作することで入力した様々なデータを格納するためのエリアや、接続部２１３を介して原稿読み取り装置１０１から受信した様々な情報を格納するためのエリアを有する。このように、ＲＡＭ２１５は、各種のエリアを適宜提供することができる。
【００２０】
ＲＯＭ２１６には、ＰＣ２０１の設定データやブートプログラムなどが格納されている。
【００２１】
入力部２１１は、キーボードやマウスなどにより構成されており、ユーザが操作することで、様々な指示やデータをＰＣ２０１に対して入力することができる。
【００２２】
出力部２１２は、ＣＲＴや液晶画面などにより構成されており、ＣＰＵ２１４による処理結果を画像や文字などでもって表示することができる。なお、出力部２１２はこのような表示装置に限るものではなく、例えば、外部へのデータ出力部であっても良い。
【００２３】
ＨＤＤ２２０には、ＯＳ（オペレーティングシステム）や、ＰＣ２０１が行うものとして後述する各処理をＣＰＵ２１４に実行させるためのコンピュータプログラムやデータが保存されている。このコンピュータプログラムには、原稿読み取り装置１０１の動作制御を行うためのコンピュータプログラム、いわゆる「原稿読み取り装置１０１のドライバソフトウェア」も含まれている。ＨＤＤ２２０に保存されているコンピュータプログラムやデータは、ＣＰＵ２１４による制御に従って適宜ＲＡＭ２１５にロードされ、ＣＰＵ２１４による処理対象となる。
【００２４】
接続部２１３は、ＰＣ２０１にＵＳＢケーブル１２０を接続するためのインターフェースとして機能するものである。
【００２５】
次に、原稿読み取り装置１０１の構成例について説明する。
【００２６】
制御部１１１は、原稿読み取り装置１０１全体の動作制御を行うと共に、原稿読み取り装置１０１が行うものとして後述する各処理を実行する。
【００２７】
搬送部１１４は、図１に示したローラ群（搬送機構）及び原稿検知センサ９により構成されており、画像読み取り部１１５は、図１に示したラインイメージセンサ５に対応するものである。すなわち、本装置にセットされた原稿は搬送部１１４により本装置内に搬送され、画像読み取り部１１５による該原稿に対する読み取り動作後、該原稿は搬送部１１４によって本装置外に排出される。画像読み取り部１１５によって読み取られた情報はバッファ１１２に格納され、制御部１１１は、この読み取られた情報を、読み取りの完了通知と共に接続部１１３を介してＰＣ２０１に対して送信する。
【００２８】
なお、本実施形態では、図２に示す如く、ＰＣ２０１と原稿読み取り装置１０１との間の接続はＵＳＢケーブル１２０を介した有線接続であるものとして説明するが、他の有線接続を適用しても良いし、無線接続であっても良い。
【００２９】
次に、ＰＣ２０１が複数束の原稿の読み取り結果を取得するためにＰＣ２０１及び原稿読み取り装置１０１のそれぞれが行う処理について、図８のフローチャートを用いて説明する。なお、ステップＳ８０１〜８１１及びＳ８１６〜Ｓ８１９の処理はＰＣ２０１のＣＰＵ２１４が行い、ステップＳ８１２〜Ｓ８１５の処理は原稿読み取り装置１０１の制御部１１１が行う。
【００３０】
＜ステップＳ８０１＞
ユーザが入力部２１１を操作して、原稿読み取り装置１０１のドライバソフトウェアの起動指示を入力すると、ＣＰＵ２１４は、該ドライバソフトウェアをＨＤＤ２２０からＲＡＭ２１５にロードして実行し、これにより出力部２１２の表示画面上に、図４に例示するＧＵＩ（グラフィカルユーザインターフェース）７０１を表示する。
【００３１】
なお、本実施形態で説明する何れのＧＵＩについても、該ＧＵＩの表示制御や該ＧＵＩに対するユーザ操作に応じて行われる処理は何れも、ＣＰＵ２１４が行うものとする。
【００３２】
選択コンボボックス７１１は、すでにＨＤＤ２２０に登録されている原稿読み取り設定（以下、「ジョブ」と呼称する）の名称を一覧表示するためのものであり、ユーザは入力部２１１を操作してこの一覧表示されたジョブ群から１つを選択する（選択操作）ことができる。然るにＣＰＵ２１４は、選択コンボボックス７１１を表示する際には、ＨＤＤ２２０内に１以上のジョブがすでに登録されているか否かを判断し、登録されている場合にはその名称を選択コンボボックス７１１に表示する。一方、まだＨＤＤ２２０に１つもジョブが登録されていない場合には、選択コンボボックス７１１には、図４に示す如く、「Ｊｏｂの選択」などの文字列を表示する。
【００３３】
Ｊｏｂの作成ボタン７１２は、新規にジョブを作成するためのボタンであり、Ｊｏｂ用スキャンボタン７１３は、選択コンボボックス７１１を用いて選択したジョブに従った原稿読み取りを原稿読み取り装置１０１に行わせるためのボタンである。
【００３４】
＜ステップＳ８０２＞
ＣＰＵ２１４は、ユーザが入力部２１１を操作してボタン７１２を指示したか否かを判断する。この判断の結果、指示した場合には、処理はステップＳ８０３に進み、指示していない場合には、処理はステップＳ８０８に進む。
【００３５】
＜ステップＳ８０３＞
ＣＰＵ２１４は、出力部２１２の表示画面上に、図３に例示するＧＵＩ３０１を表示する。
【００３６】
領域３１１は、ジョブの名称を表示するための領域である。ここで、ＨＤＤ２２０にジョブが１つも登録されていない（選択コンボボックス７１１には「Ｊｏｂの選択」と表示されている）場合、ＣＰＵ２１４は、初期値として予めＨＤＤ２２０に登録されている名称を読み出して領域３１１に表示する。一方、ＨＤＤ２２０に１以上のジョブがすでに登録されており（故に選択コンボボックス７１１に１以上のジョブの名称が一覧表示されており）、ユーザが入力部２１１を操作して選択コンボボックス７１１に表示されているジョブ群のうち１つを選択している場合には、ＣＰＵ２１４は、該選択されているジョブの名称をＨＤＤ２２０から読み出して領域３１１に表示する。ユーザは入力部２１１を操作して、この領域３１１に表示されている名称を所望の名称に変更することができる。
【００３７】
領域３１２は、ジョブの内容（原稿読み取り設定の内容）を表示するための領域であり、図３では、名称が「ジョブ１」であるジョブの内容として、カラーモード、解像度、濃度、原稿サイズ、両面／片面、画像ローテーションが表示されている。ここで、ＨＤＤ２２０にジョブが１つも登録されていない（選択コンボボックス７１１には「Ｊｏｂの選択」と表示されている）場合、ＣＰＵ２１４は、初期値として予めＨＤＤ２２０に登録されている設定内容を読み出して領域３１２に表示する。一方、ＨＤＤ２２０に１以上のジョブがすでに登録されており（故に選択コンボボックス７１１に１以上のジョブの名称が一覧表示されており）、ユーザが入力部２１１を操作して選択コンボボックス７１１に表示されているジョブ群のうち１つを選択している場合には、ＣＰＵ２１４は、該選択されているジョブの内容をＨＤＤ２２０から読み出して領域３１２に表示する。ユーザは入力部２１１を操作して、この領域３１２に表示されている内容群のうち１以上を所望の内容に変更することができる。
【００３８】
＜ステップＳ８０４＞
ＣＰＵ２１４は、図３に例示するＧＵＩ３０１においてボタン３１３が指示されたか否かを判断する。この判断の結果、指示されている場合には、処理はステップＳ８０５に進み、指示されていない場合には、処理はステップＳ８０６に進む。
【００３９】
＜ステップＳ８０５＞
ＣＰＵ２１４は、図３のＧＵＩ３０１を用いて設定したジョブをＨＤＤ２２０に登録する。ＨＤＤ２２０に登録されたジョブ群の一例を図６に示す。
【００４０】
＜ステップＳ８０６＞
ＣＰＵ２１４は、図３に例示するＧＵＩ３０１においてボタン３１４が指示されたか否かを判断する。この判断の結果、指示されている場合には、処理はステップＳ８０７に進み、指示されていない場合には、処理はステップＳ８０４に進む。
【００４１】
＜ステップＳ８０７＞
ＣＰＵ２１４は、図３のＧＵＩ３０１を終了させる。そしてその後、処理はステップＳ８０１に進むのであるが、ステップＳ８０５→ステップＳ８０７→ステップＳ８０１と処理が進んだ場合、ステップＳ８０１では、ＣＰＵ２１４は、ステップＳ８０５で登録したジョブの名称を選択コンボボックス７１１に表示する。一方、ステップＳ８０６→ステップＳ８０７と処理が進んだ場合、ＣＰＵ２１４は、ステップＳ８０７では、図３のＧＵＩ３０１を用いて設定した内容を破棄してから図３のＧＵＩ３０１を終了させる。
【００４２】
＜ステップＳ８０８＞
ＣＰＵ２１４は、図４のＧＵＩ７０１においてボタン７１３が指示されたか否かを判断する。この判断の結果、指示された場合には、処理はステップＳ８０９に進み、指示されていない場合には、処理はステップＳ８０２に進む。
【００４３】
＜ステップＳ８０９＞
ＣＰＵ２１４は、ＨＤＤ２２０に１以上のジョブがすでに登録されているか否かを判断する。この判断の結果、登録されている場合には、処理はステップＳ８１１に進み、登録されていない場合には、処理はステップＳ８１０に進む。
【００４４】
＜ステップＳ８１０＞
ＣＰＵ２１４は、「Ｊｏｂが存在しません。作成してください。」のように、ユーザに１以上のジョブを新規に作成させるよう促すためのメッセージをエラー表示として出力部２１２に表示させる。
【００４５】
＜ステップＳ８１１＞
ＣＰＵ２１４は、選択コンボボックス７１１を用いて選択したジョブ、すなわち、原稿読み取り設定内容を接続部２１３を介して原稿読み取り装置１０１に対して送信することで、原稿読み取り装置１０１に該原稿読み取り設定内容に従った原稿読み取りを開始させる。
【００４６】
＜ステップＳ８１２＞
原稿読み取り装置１０１の制御部１１１は、ＰＣ２０１から送信された原稿読み取り設定内容を接続部１１３を介して受信し、該受信した原稿の読み取り設定内容をバッファ１１２に格納する。
【００４７】
＜ステップＳ８１３＞
制御部１１１は、原稿検知センサ９による「原稿読み取り装置１０１に原稿がセットされているか否か」の検知結果を参照することで、原稿読み取り装置１０１に原稿がセットされているか否かを判断する。この判断の結果、セットされている場合には、処理はステップＳ８１４に進み、セットされていない場合には、処理はステップＳ８１５に進む。
【００４８】
＜ステップＳ８１４＞
制御部１１１は、搬送部１１４を制御して原稿を１枚ずつ画像読み取り部１１５に搬送し、画像読み取り部１１５を制御して該搬送された１枚ずつの原稿を読み取らせる。画像読み取り部１１５が読み取った原稿のデータはバッファ１１２に格納される。そして１枚の原稿を読み取るたびに処理はステップＳ８１３に進む。まだ読み取り対象となる原稿が残っている場合には、原稿検知センサ９からは「原稿読み取り装置１０１に原稿がセットされている」旨の通知を受けることになり、読み取り対象となる原稿が残っていない場合には、原稿検知センサ９からは「原稿読み取り装置１０１に原稿がセットされていない」旨の通知を受けることになる。
【００４９】
＜ステップＳ８１５＞
制御部１１１は、原稿読み取り装置１０１にセットされた１束分の原稿の読み取りの完了通知を接続部１１３を介してＰＣ２０１に対して送信する。なお、ステップＳ８１４で原稿を読み取った後、ステップＳ８１３を介してステップＳ８１５に処理が進んだ場合には、原稿読み取りの完了通知に加えて、バッファ１１２に格納した１束分の原稿のデータも、接続部１１３を介してＰＣ２０１に対して送信する。なお、ここでいう「１束分の原稿の読み取りの完了通知」とは、１束分の原稿を読み終えたことを意味するものであり、この時点で全ての読み取り完了（完全終了）を意味するものではない。すなわち、原稿読み取り装置１０１にセットされた原稿束（１束分）を読み終えたが、継続して次の原稿、あるいは原稿束を読み取りたい場合もある。そのため、いわゆる継続モードとして、原稿の読み取りの一時的な完了通知とあわせて継続通知を出すことにより、先立って読み終えた原稿に継続した読み取りを行うことが可能となる。すなわち、ユーザが継続スキャンする原稿がないと判断すれば、その時点で原稿の読み取りの完了となり、継続スキャンする原稿があれば、この時点で原稿の読み取りの完了（完全終了）とはならず、読取の継続として取り扱われる。したがって、ユーザは、所定の読取条件で読み取りたい原稿または原稿束を原稿読み取り装置１０１にセットし、次の原稿または原稿束を別の読取条件で読み取りたい場合には、１束分の原稿を読み終えた段階で、後述する読取設定の変更をユーザ操作によって可能とすることで、次の原稿または原稿束の読み取りをユーザが望む読取設定で実行することが可能となる。なお、ここでいう読取設定の変更については、その都度、ユーザ操作によって設定できるようにしてもよいし、予め登録された読取設定メニューからユーザ操作によって適宜選択できるようにしてもよい。
【００５０】
＜ステップＳ８１６＞
ＣＰＵ２１４は、ステップＳ８１５で原稿読み取り装置１０１から送信されたデータを受信してＲＡＭ２１５に格納する。
【００５１】
＜ステップＳ８１７＞
ＣＰＵ２１４は、出力部２１２の表示画面上に、図５に例示するＧＵＩ９０１を表示する。
【００５２】
ＧＵＩ９０１を表示させた時点では、選択コンボボックス９１１には、選択コンボボックス７１１を用いて選択したジョブの名称、すなわち、原稿読み取り装置１０１にステップＳ８１３〜Ｓ８１５で行わせた原稿読み取りの設定の名称が表示されている。ユーザは入力部２１１を操作してこの選択コンボボックス９１１を指示すると、図７に示す如く、選択コンボボックス９１１には、ＨＤＤ２２０にすでに登録されているジョブの名称が一覧表示されるので、ユーザは入力部２１１を操作してこの一覧表示されたジョブ群から１つを選択することができる。
【００５３】
＜ステップＳ８１８＞
ＣＰＵ２１４は、ＧＵＩ９０１におけるボタン９１２が指示されたか否かを判断する。この判断の結果、指示された場合には、処理はステップＳ８１１に進み、ステップＳ８１１では、ＣＰＵ２１４は、選択コンボボックス９１１を用いて選択したジョブ、すなわち、原稿読み取り設定内容を接続部２１３を介して原稿読み取り装置１０１に対して送信することで、原稿読み取り装置１０１に該原稿読み取り設定内容に従った原稿読み取りを開始させる。一方、ＧＵＩ９０１におけるボタン９１２が指示されていない場合には、処理はステップＳ８１９に進む。
【００５４】
＜ステップＳ８１９＞
ＣＰＵ２１４は、ＧＵＩ９０１におけるボタン９１３が指示されたか否かを判断する。この判断の結果、指示された場合には、図８のフローチャートに従った処理は終了し、指示されていない場合には、処理はステップＳ８１８に進む。
【００５５】
以上のような処理により、大量の原稿をスキャン設定を切り替えながらスキャンしたい場合に、異なった継続スキャンの設定内容に簡単に切り替えながら、スキャンを継続することができ、設定の手間を省くことができる。
【００５６】
なお、以上説明した様々な構成は一例に過ぎず、原稿読取装置から原稿の読取継続通知を受けるたびに、読取設定の変更を受け付け、該受け付けた読取設定に従った原稿の継続読取を原稿読取装置に行わせることが可能であれば、ＰＣ２０１や原稿読み取り装置１０１の構成及びこれらの装置が行う処理は、上記で説明したものに限らない。例えば、複数の積載した原稿を順次搬送し、画像情報を読み取る画像読取装置において、原稿の読み取りを一旦停止した際に、最初の読み取り条件で画像読取を再開する画像読取再開手段と、画像読取条件を予め設定した別条件に変更した後に画像読取を再開する別の画像読取再開指示手段を持つ、画像読取装置についても本発明の対象とする。また、このような構成を画像読取装置とコンピュータとで共同して実施するシステム形態でもよい。
【００５７】
また、図３，４，５，７に示したＧＵＩの構成は何れも一例であり、同様の目的を達成することができるのであれば、如何なる構成を採用しても構わない。例えば、選択コンボボックス７１１（９１１）の代わりに、それぞれのジョブに対応するラジオボタンを設けて、何れか１つを選択することができるようにしても構わないし、ラジオボタンの代わりにボタンを設けても構わない。
【符号の説明】
【００５８】
２１１:入力部  ２１２：出力部  ２１３：接続部  ２２０：ＨＤＤ  ２１４：ＣＰＵ  ２１５：ＲＡＭ  ２１６：ＲＯＭ
【図１】
2016111525.tif 000003
【図２】
2016111525.tif 000004
【図３】
2016111525.tif 000005
【図４】
2016111525.tif 000006
【図５】
2016111525.tif 000007
【図６】
2016111525.tif 000008
【図７】
2016111525.tif 000009
【図８】
2016111525.tif 000010